(57)【特許請求の範囲】
【請求項１】
過去の放射線治療で使用した複数種類の放射線の照射野規定手段の使用履歴を含む治療結果を記憶する治療結果記憶手段と、
前記治療結果記憶手段に記憶された過去の前記照射野規定手段の使用履歴を基に、前記照射野規定手段の前記種類毎の使用頻度を求める使用頻度算出手段と、
前記算出された使用頻度を基に、１日のうち前記照射野規定手段の前記種類毎の使用できる使用時間を算出する使用時間算出手段と、
前記算出された使用時間を基に、前記照射野規定手段の前記種類毎に治療の時間を割当てて予約表を作成する予約表作成手段と、
特定の患者に対する治療日及び治療に使用する前記照射野規定手段の前記種類の入力を受けて、前記治療日における前記予約表のうち、入力された前記種類の前記照射野規定手段を使用する治療に割当てられた割当時間に、前記特定の患者に対する治療の予約を設定する治療予約手段と、
を備えることを特徴とする放射線治療予約装置。
【請求項２】
前記治療予約手段は、治療日から所定日数前の予約確定日を記憶しており、前記予約確定日前には、前記特定の患者に対する治療の予約を時間の変更が可能な予約として設定し、前記予約確定日に、前記予約を時間の変更が不可能な予約に変更する
ことを特徴とする請求項１に記載の放射線治療予約装置。
【請求項３】
前記予約表作成手段は、使用する前記照射野規定手段の前記種類が決まっていない予備の時間を含めて予約表を作成し、
前記治療予約手段は、予約確定日として治療日から所定日前の日数を記憶しており、前記予約確定日前には、前記入力された種類の前記照射野規定手段の前記割当時間の全部又は一部が前記予約表に未予約で残っている場合には、その残っている時間内で前記特定の患者に対する治療の予約を時間の変更が可能な予約として設定し、該照射野規定手段の前記割当時間が前記予約表に残っていない場合には、前記予備の時間のうち前記特定の患者の治療に必要な時間を割当時間の後に加え、該加えた時間に前記特定の患者に対する治療の予約を時間の変更が可能な予約として設定し、その後に割当てられている前記治療の予約の時間を前記加えた時間分だけ後ろにずらす
ことを特徴とする請求項１に記載の放射線治療予約装置。
【請求項４】
前記治療結果記憶手段は、治療で使用した前記照射野規定手段の前記種類を、外部の放射線治療装置から入力を受けて記憶していくことを特徴とする請求項１乃至請求項３のいずれか一つに記載の放射線治療予約装置。
【請求項５】
操作者又は治療計画装置から入力された少なくとも治療で使用する前記照射野規定手段の前記種類を含む治療計画を記憶する治療計画記憶手段をさらに備え、
前記治療結果記憶手段は、前記治療計画記憶手段に記憶されている治療計画を基に治療を行った外部の放射線治療装置から入力された治療で使用した前記照射野規定手段の前記種類を記憶していくことを特徴とする請求項１乃至請求項３のいずれか一つに記載の放射線治療予約装置。
【請求項６】
複数の放射線治療装置がある場合に、
前記治療予約手段は、前記放射線治療装置毎に予約表を作成し、
前記治療予約手段は、操作者により指定された前記放射線治療装置の予約表に予約を設定する
ことを特徴とする請求項１乃至請求項５のいずれか一つに記載の放射線治療予約装置。
【請求項７】
請求項１に記載の放射線治療予約装置の動作方法であって、
治療結果記憶手段が、過去の放射線治療で使用した複数種類の放射線の照射野規定手段の使用履歴を含む治療結果を記憶する段階と、
使用頻度算出手段が、前記記憶された過去の前記照射野規定手段の使用履歴を基に、前記照射野規定手段の前記種類毎の使用頻度を求める段階と、
使用時間算出手段が、前記算出された使用頻度を基に、１日のうち前記照射野規定手段の種類毎の使用できる使用時間を算出する段階と、
予約表作成手段が、前記算出された使用時間を基に、前記照射野規定手段の前記種類毎に治療の時間を割当てて予約表を作成する段階と、
治療予約手段が、特定の患者に対する治療日及び治療に使用する前記照射野規定手段の前記種類の入力を受けて、前記治療日における前記予約表のうち、入力された前記種類の前記照射野規定手段を使用した治療が割当てられた割当時間に、前記特定の患者に対する治療の予約を設定する段階と、
を備えることを特徴とする放射線治療予約装置の動作方法。
【発明の詳細な説明】
【技術分野】
【０００１】
本発明は、患部に放射線を照射することにより患者を治療する放射線治療の治療予約を行うための放射線治療予約装置及びその動作方法に関する。
【背景技術】
【０００２】
癌や腫瘍などの患部に放射線を照射することにより当該患部の組織細胞の破壊、又は分裂阻止等することで、その治療する放射線治療が広く行われている。その放射線治療で十分な治療効果を得るためには、患部の細胞に十分な線量の放射線が照射されることが求められる。ことのき、患部以外の正常な細胞にも放射線が当たってしまう。この正常な細胞への放射線の照射により正常な細胞に障害が発生してしまうおそれがある。そこで、この正常な細胞に照射される放射線の線量はより少ないことが望ましい。そこで、放射線治療医や放射線治療技師などの放射線治療装置の操作者（以下では、単に「操作者」という。）は放射線をなるべく患部のみに照射できるように、放射線治療装置の放射線の照射源の部分に銅などでできた照射野を規定する照射野規定手段（以下では、「アクセサリ」という。）を取り付けて放射線の照射を行っている。どのような種類のアクセサリを使用するかは、病変部の位置、大きさ、形状、数等を正確に把握し（病変部の特定）、それに基づき放射線を照射する領域（照射野）、照射角度、照射門数等を決定して、当該病変部に放射線が集中し、かつ当該病変部周囲の線量分布が適当なものとなるような放射線治療計画に基づいて決定される必要がある。このように、アクセサリはその患部の状態や放射線治療装置の性能によって決定されるため、実行する放射線治療にあわせてアクセサリの種類を変更する必要がある。
【０００３】
また、放射線治療はＣＴ装置やＭＲＩ装置などを使用する検査と異なり、緊急で治療を行う場合は少ない。通常の放射線治療では数日間にわたる複数回の照射によって、患部に必要な線量を照射することが行われる。したがって、放射線治療においては長期的な治療計画を作成することが可能である。そこで、操作者は予め治療計画を作成する。この治療計画には、治療を通して必要な放射線の線量、治療の日数、並びに、１回の治療で放射線を照射する深さ、放射線を照射する強さ、及び放射線を照射する範囲、などといったものが含まれる。そして、操作者は、作成した計画にあわせて治療日時を決定し、その治療日時に基づき放射線治療の予約を行う。このとき、操作者は予約に際して使用する放射線治療装置、放射線治療室、及びアクセサリなどを指定する。
【０００４】
従来、放射線治療の予約は操作者が決定した治療日時が近づいた段階で、操作者がその日時の放射線治療装置や放射線治療室、及びアクセサリなどの空き状況を確認し、空いている日時に合わせて予約日時を最終的に決定していた。また、放射線治療の予約を簡単にして人為的ミスをなくすため、放射線治療の予約情報を最初に１回だけ発行し、その後はその予約内容から後々のスケジュール内容を決定すると共に、予約情報に変更があったときにはその変更内容がその後のスケジュールにも反映し、放射線治療予約から照射台帳記入までを自動化した放射線治療情報管理システム（例えば、特許文献１参照。）が提案されている。
【０００５】
【特許文献１】特開２００３−１７５１１９号公報
【発明の開示】
【発明が解決しようとする課題】
【０００６】
しかし、アクセサリは銅などの材料で製造されているため、アクセサリの重量は非常に大きいものである。そのため、操作者がアクセサリを付け替えるには多大な労力を要することになる。また、重量の大きいアクセサリの付け替えには多くの時間が掛かってしまう。そのため、１つの装置で１日のうちに行える放射線治療の回数はその取替えの時間分だけ削られることになり、１日で行える治療回数がその分減少してしまう。
【０００７】
ここで、操作者が手動で空いている日時に合わせて予約を入れていく方法では、使用するアクセサリの順番はまちまちとなり、同じアクセサリを連続して使うなど効率的なアクセサリの運用は困難である。また、特許文献１に記載の放射線治療情報管理システムであっても、アクセサリの使用順は考慮されないため、その都度アクセサリを取り替える必要が発生する可能性があり、効率的なアクセサリの運用が困難となる。
【０００８】
この発明は、このような事情に鑑みてなされたもので、１日のうちに行われる放射線治療において、同一のアクセサリを使用する放射線治療毎に治療時間をまとめた予約表を、早い段階で正確に作成できる放射線治療予約装置を提供することを目的としている。
【課題を解決するための手段】
【０００９】
上記目的を達成するために、請求項１に記載の放射線治療予約装置は過去の放射線治療で使用した複数種類の放射線の照射野規定手段の使用履歴を含む治療結果を記憶する治療結果記憶手段と、前記治療結果記憶手段に記憶された過去の前記照射野規定手段の使用履歴を基に、前記照射野規定手段の前記種類毎の使用頻度を求める使用頻度算出手段と、前記算出された使用頻度を基に、１日のうち前記照射野規定手段の前記種類毎の使用できる使用時間を算出する使用時間算出手段と、前記算出された使用時間を基に、前記照射野規定手段の前記種類毎に治療の時間を割当てて予約表を作成する予約表作成手段と、特定の患者に対する治療日及び治療に使用する前記照射野規定手段の前記種類の入力を受けて、前記治療日における前記予約表のうち、入力された前記種類の前記照射野規定手段を使用する治療に割当てられた割当時間に、前記特定の患者に対する治療の予約を設定する治療予約手段と、を備えることを特徴とするものである。
【００１０】
請求項７に記載の放射線治療予約装置の動作方法は、請求項１に記載の放射線治療予約装置の動作方法であって、治療結果記憶手段が、過去の放射線治療で使用した複数種類の放射線の照射野規定手段の使用履歴を含む治療結果を記憶する段階と、使用頻度算出手段が、前記記憶された過去の前記照射野規定手段の使用履歴を基に、前記照射野規定手段の前記種類毎の使用頻度を求める段階と、使用時間算出手段が、前記算出された使用頻度を基に、１日のうち前記照射野規定手段の種類毎の使用できる使用時間を算出する段階と、予約表作成手段が、前記算出された使用時間を基に、前記照射野規定手段の前記種類毎に治療の時間を割当てて予約表を作成する段階と、治療予約手段が、特定の患者に対する治療日及び治療に使用する前記照射野規定手段の前記種類の入力を受けて、前記治療日における前記予約表のうち、入力された前記種類の前記照射野規定手段を使用した治療が割当てられた割当時間に、前記特定の患者に対する治療の予約を設定する段階と、を備えることを特徴とするものである。
【発明の効果】
【００１１】
請求項１に記載の放射線治療予約装置及び請求項７に記載の放射線治療予約装置の動作方法によると、同一の照射野規定手段を使用する放射線治療毎にまとまった時間割りの予約表を作成することができる。これにより、同一の照射野規定手段を使用した放射線治療を連続して行うことができ、照射野規定手段を付け替える回数を減らすことが可能となる。したがって、照射野規定手段の変更にかかる放射線医や放射線技師の労力を軽減することができる。さらに、１日で行える放射線治療の数を増加させることが可能となる。
【発明を実施するための最良の形態】
【００１２】
〔第１の実施形態〕
以下、この発明の第１の実施形態に係る放射線治療予約装置について説明する。図１は本実施形態に係る放射線治療予約装置の機能を表すブロック図である。また、以下の説明では、他の予約の状況によって予約した時間が変更されることのある予約を「仮予約」と言う。これは本発明における「時間の変更が可能な予約」を指す。さらに、予約の時間を確定しそれ以降は時間の変更を行わない予約を「本予約」と言う。これは本発明における「時間の変更が不可能な予約」を指す。
【００１３】
図１に示すように、本実施形態に係る放射線治療予約装置１００は、外部の治療計画装置００２及び放射線治療装置００３と接続されている。この接続はネットワークを介して接続されていてもよい。さらに、治療計画装置００２は、モダリティ００１と接続されている。
【００１４】
モダリティ００１は、超音波診断装置、Ｘ線ＣＴ装置、又はＭＲＩ装置などの医用画像診断装置である。モダリティ００１は、被検体の対象部位の医用画像を生成する。モダリティ００１は、生成した医用画像及び検査情報を治療計画装置００２へ出力する。検査情報には患者識別情報や患部の情報などが含まれる。
【００１５】
治療計画装置００２は、入力された医用画像及び検査情報を基に、患部の場所、腫瘍や癌などの患部の大きさ、及び患部の深さといった治療情報を求める。そして、治療計画装置００２は、求めた治療情報を基に、治療を通して必要な放射線の線量、治療の日数、並びに、１回の治療で放射線を照射する深さ、放射線を照射する強さ、及び放射線を照射する範囲、などといった治療計画を作成する。
【００１６】
この治療計画には特定の患者に対する治療を行うのにどの照射野規定部材（以下では、「アクセサリ００４」という。）を使用するかの情報も含まれる。このアクセサリ００４が本発明における「照射野規定手段」にあたる。アクセサリ００４は、照射野の範囲や治療に用いる装置などに合わせて複数存在する。具体的には、アクセサリ００４の種類としては３００〜４００程度が存在する。そして、例えば一般的な医療機関では、３００〜４００程度の種類のアクセサリ００４のうち５０種類程度のアクセサリ００４を有している。そこで、治療計画装置００２は、治療に使用する放射線治療装置００３の種類及びアクセサリ００４の種類を記憶している。そして、治療計画装置００２は、記憶している放射線治療装置００３の種類や求めた放射線を照射する範囲などを基に、モダリティ００１で検査された患者の治療を行うのに必要なアクセサリ００４を決定する。ここで、本実施形態では放射線治療装置００３が１台の場合で説明する。
【００１７】
治療計画装置００２は、作成した治療計画を治療計画記憶部１０１へ出力する。この治療計画には上述のように決定した使用するアクセサリ００４の情報が含まれており、治療計画装置００２は、治療計画記憶部１０１へ治療に使用するアクセサリ００４の情報も出力する。
【００１８】
放射線治療装置００３は、放射線を患者の癌や腫瘍などの患部に照射し、該患部の細胞を破壊するなどして治療を行う装置である。操作者は、患者に放射線の照射を行う際に、放射線治療装置００３の照射源の部分にアクセサリ００４を装着する。これにより、照射野を規定することができ、患者への不要な放射線の照射を軽減することができる。
【００１９】
操作者は、特定の患者の治療を行うに際し、放射線治療装置００３に設けられたユーザインタフェース（不図示）を用いて、治療計画記憶部１０１に該患者の治療計画を要求する。放射線治療装置００３は、治療計画記憶部１０１から入力された治療計画に記載されているアクセサリ００４の種類の情報をユーザインタフェースに表示する。操作者は、表示されたアクセサリ００４を放射線治療装置００３の放射線源の部分に取り付ける。このとき、操作者は、取り付けたアクセサリ００４をユーザインタフェースを使用して放射線治療装置００３に入力する。そして、放射線治療装置００３は、治療計画記憶部１０１から入力された治療計画に基づき治療を行う。すなわち、治療計画に記載されている、１回の治療で放射線を照射する深さ、放射線を照射する強さ、及び放射線を照射する範囲などに従って、患部に向けて放射線を照射する。放射線治療装置００３は、操作者から入力された使用したアクセサリ００４の情報及び実際に行った放射線の放射範囲や線量などのその他の治療結果の情報を治療結果記憶部１０２へ出力する。
【００２０】
治療計画記憶部１０１は、メモリやハードディスクなどの記憶装置である。治療計画記憶部１０１は、治療計画装置００２から入力された治療計画を記憶する。また、操作者が治療計画装置００２を使用せずに手動で治療計画を作成した場合、操作者はユーザインタフェース１１０を使用して、治療計画を治療計画記憶部１０１に直接入力する。そして、治療計画記憶部１０１は、入力部１１１から治療計画の入力を受けて該治療計画を記憶する。この操作者から直接行われる入力部１１１からの入力には治療計画装置００２から入力される情報と同等の情報を得る必要がある。そこで、治療計画の入力時には統括制御部１０７によって入力用のフォーマットがユーザインタフェース１１０の表示部１１２に表示させられる。操作者はそのフォーマットに従って情報を入力することで、治療計画として必要な情報の入力を行うことができる。
【００２１】
治療計画記憶部１０１は、放射線治療装置００３からの特定患者の治療計画の出力の要求を受けて、放射線治療装置００３へ該当する治療計画を出力する。この治療計画記憶部１０１が本発明における「治療計画記憶手段」にあたる。
【００２２】
治療結果記憶部１０２は、メモリやハードディスクなどの記憶装置である。治療結果記憶部１０２は、放射線治療装置００３から入力された使用したアクセサリ００４を含む治療結果の情報を記憶する。図２は治療結果記憶部１０２に記憶されている治療結果のデータを説明するための図である。データ２０１は１回の放射線治療に対する治療結果記憶部１０２に記憶される治療結果のデータである。データ２０１に記載されているように、治療結果記憶部１０２に治療装置から入力された治療結果には、治療した患者の患者ＩＤ等の患者識別情報、放射線治療装置００３の種類、治療部位、治療方法、及びアクセサリ００４の種類などが記載されている。治療結果記憶部１０２はこの様なデータ２０１を行なわれた治療毎に記憶している。そして、放射線治療装置００３は治療が終了する毎に治療結果を出力するため、治療結果記憶部１０２のデータ２０１は、放射線治療が行われる毎に更新されることになる。この治療結果記憶部１０２が本発明における「治療結果記憶手段」にあたる。
【００２３】
使用頻度算出部１０３は、治療結果記憶部１０２に記憶されている治療結果のデータ２０１の中から各治療で使用されたアクセサリ００４の種類を検索し抽出する。本実施形態では、使用頻度算出部１０３は、この検索を毎日一日の放射線治療がすべて終わった後に行う。ただし、この検索の頻度は使用環境に合わせて決定することが望ましい。
【００２４】
使用頻度算出部１０３は、抽出したアクセサリ００４の種類毎に治療で使用した回数を加算していく。これにより、使用頻度算出部１０３は、アクセサリ００４が過去の治療で何回使用されたかを求める。図３は使用頻度算出部１０３が求めたアクセサリ００４毎の使用回数とその使用された頻度をまとめた表の図である。本実施形態では図３に示すように、使用される放射線治療装置００３は「ＡＡＡ」１台である。そこで、放射線治療装置治療装置００３である「ＡＡＡ」において使用されたアクセサリ００４の種類毎にその使用回数と使用頻度が求められる。図３に示すように、本実施形態ではアクセサリ００４には「ＡＣＣ−１」「ＡＣＣ−２」「ＡＣＣ−３」及び「ＡＣＣ−４」といった種類のものがある。ここで、本実施形態では、説明の都合上アクセサリ００４の種類を上記４つとしたが、実際には数十種類のアクセサリ００４があることが一般的である。各アクセサリ００４の使用回数は「ＡＣＣ−１」が１００回、「ＡＣＣ−２」が２００回、「ＡＣＣ−３」が３００回、及び「ＡＣＣ−４」が４００回となっている。そして、算出した使用回数を基に、使用頻度算出部１０３は、各アクセサリ００４が治療に使用された回数を過去に行われた治療の総数で除算することで各アクセサリ００４の使用頻度を求める。ここでは、使用頻度算出部１０３は、「ＡＣＣ−１」の使用頻度を１０％、「ＡＣＣ−２」の使用頻度を２０％、「ＡＣＣ−３」の使用頻度を３０％、及び「ＡＣＣ−４」の使用頻度を４０％と算出する。
【００２５】
使用頻度算出部１０３は、算出した各アクセサリ００４の使用頻度を、使用時間算出部１０６へ出力する。この使用頻度算出部１０３が本発明における「使用頻度算出手段」にあたる。
【００２６】
使用時間算出部１０６は、１日のうち放射線治療に割当てることができる時間を記憶している。本実施形態では、放射線治療が開始できるのが８：００であり、放射線治療の最終時刻が１９：００である。そこで、使用時間算出部１０６は、８：００〜１９：００の１１時間を１日のうち放射線治療に割当てることができる時間として記憶している。ただし、この放射線治療に割当てることができる時間は使用環境に合わせて設定することが望ましい。例えば、１日のうちに１時間の休憩時間（例えば、昼休みなど。）を設けているような環境では、使用時間算出部１０６は、前述の使用時間から１時間引いた時間である１０時間を放射線治療に割当てることができる時間と記憶することになる。さらに、使用時間算出部１０６は、予め予備の時間も記憶している。ここで、予備の時間とは、どの種類のアクセサリ００４を使用した放射線を行うか決まっていない時間であり、ある種類のアクセサリ００４の予約枠がいっぱいになった場合に、予備の時間を使用して新たな予約を入れるための時間である。本実施形態では、使用時間算出部１０６は予備の時間として１時間を割当てると記憶している。ただし、予備の時間を設けなくても本発明に係る放射線治療予約装置は動作可能である。その場合、ある種類のアクセサリ００４の予約枠がいっぱいになった場合、操作者に通知して、操作者が手動であいている時間に予約を入れるなどの構成を取ることが好ましい。
【００２７】
使用時間算出部１０６は、記憶している１日のうち放射線治療に割当てることができる時間から予備の時間を減算し、各アクセサリ００４を使用する放射線治療毎の予約枠の設定で使用できる総時間を求める。ここで、予約枠とは、各アクセサリ００４を使用する放射線治療毎の予約を入れられる時間枠である。本実施形態では、１１時間から１時間を引いて１０時間が放射線治療の予約枠の設定で使用できる総時間となる。次に、使用時間算出部１０６は、仮予約総時間を使用頻度算出部１０３から入力された各アクセサリ００４の使用頻度に比例した時間で、各アクセサリ００４を使用する放射線治療に分配する。本実施形態では、使用時間算出部１０６は、「ＡＣＣ−１」を使用する放射線治療に対し、１０時間の１０％である１時間を割当てる時間として算出する。同様に、使用時間算出部１０６は、「ＡＣＣ−２」を使用する放射線治療に２時間を、「ＡＣＣ−３」を使用する放射線治療に３時間を、「ＡＣＣ−４」を使用する放射線治療に４時間を割当てる時間として算出する。このように各アクセサリ００４を使用する放射線治療毎に割りあてられた時間が本発明における「割当時間」にあたる。そして、従来はばらばらに設定されていた同じアクセサリ００４を使用する放射線治療の予約を、連続する時間帯に設定するようにすることを、各アクセサリ００４を使用する放射線治療の予約をまとめるという。
【００２８】
使用時間算出部１０６は、予約表作成部１０５へ算出したそれぞれのアクセサリ００４を使用する放射線治療に割当てる時間を出力する。この使用時間算出部１０６が本発明における「使用時間算出手段」である。
【００２９】
予約表作成部１０５は、予め１日の時間割を記憶している。本実施形態では、図４に示すような予約表を作成するための８：００〜１９：００までの時間割を記憶している。図４は予約表作成部１０５によって作成される予約表の一例の図である。
【００３０】
予約表作成部１０５は、使用時間算出部１０６から入力された割当時間のうち、割当てられた時間が短いアクセサリ００４毎の放射線治療から順に早い時間から予約枠を確保していく。すなわち、まず、予約表作成部１０５は、「ＡＣＣ−１」を使用する放射線治療の予約枠として８：００〜９：００を確保する。次に、予約表作成部１０５は、「ＡＣＣ−２」を使用する放射線治療の予約枠として９：００〜１１：００を確保する。次に、予約表作成部１０５は、「ＡＣＣ−３」を使用する放射線治療の予約枠として１１：００〜１４：００を確保する。次に、予約表作成部１０５は、「ＡＣＣ−２」を使用する放射線治療の予約枠として１４：００〜１８：００を確保する。最後に、予約表作成部１０５は、残りの１８：００〜１９：００を予備の時間として確保する。このようにして、予約表作成部１０５は、各アクセサリ００４を使用する放射線治療の予約枠を確保し、図４に示すような予約表を作成する。
【００３１】
ここで、治療結果記憶部１０２に記憶されている治療結果の情報が少ない場合には、使用頻度算出部１０３で算出される各アクセサリ００４の使用頻度を算出する毎に使用頻度に大きな変化が発生する。そして、予約表作成部１０５による予約表の作成において、使用頻度算出部１０３で求められる各アクセサリ００４の使用頻度が算出する毎に大きく変化すると予約表の作成が困難になる。そのため、本実施形態では、予約表作成部１０５は、予約表の対象となる治療日の所定期日前（例えば、１ヶ月前）でその日の予約枠を確保した予約表を確定することが望ましい。本実施形態では１ヶ月前で予約枠を確定するものとする。すなわち、本実施形態では、１ヶ月前になると予約表作成部１０５は、治療予約部１０４に１ヵ月後の治療日の予約表を入力し、以降はその治療日の予約表を作成しなくなる。ここで、１ヶ月前ならばまだ治療の予約が入ることは少ない。そのため、１ヶ月前に予約枠を確定しておけば、予約枠の変更による治療の予約時間の変更を少なくすることができる。また、予約が少ないことにより、予約枠の時間がなくなることも考えにくく、使用頻度の変化の影響で割当てられた予約枠の時間が減少しても、すでに行われている予約を削る必要は少ない。また、治療結果記憶部１０２に記憶されている治療結果が十分に多い場合には、使用頻度の値にそれほどの変化は発生しないので、予約を入れるたびに予約表を作成する構成にしてもよい。
【００３２】
また、本実施形態では、予約枠確保の流れを簡単にするため、割当てられた時間が短いアクセサリ００４毎の放射線治療から順に早い時間から予約枠の確保をおこなっているが、これは他の順序で並べてもよい。例えば、割当てられた時間が長いアクセサリ００４毎の放射線治療から順に並べたり、午前と午後とをまたがないように、１２：００で予約枠が切れるように並べたりしてもよい。
【００３３】
予約表作成部１０５は、治療予約部１０４から指定された治療日の予約表の出力の要求を受けて、作成したその治療日の予約表を治療予約部１０４へ出力する。
【００３４】
操作者は、治療予約部１０４に対し、ユーザインタフェース１１０を用いて、予約したい日、治療に使用する放射線治療装置００３の種類、及び治療計画の識別情報を入力する。治療予約部１０４は、操作者から入力された治療計画を基に、治療計画記憶部１０１から該治療計画で使用されるアクセサリ００４の種類を取得する。さらに、治療予約部１０４は、操作者から入力された治療日の予約表の出力を予約表作成部１０５に要求する。そして、治療予約部１０４は、予約表作成部１０５から操作者により指定された治療日における予約表の入力を受ける。
【００３５】
治療予約部１０４は、まず仮予約を行なう。そして、治療予約部１０４は、予め記憶している所定日数前の日が来ると仮予約を本予約に変更する。そこで、治療予約部１０４は、仮予約を本予約に変更し予約を確定する期日として、治療日からの所定の日数（本実施形態では治療日の１週間前）を記憶している。この日数は使用環境に合わせて決定することが望ましい。さらに、治療予約部１０４は内部に時計（不図示）を持っており、日時を確認することができる。以下で、治療予約部１０４による予約を入れる方法及び仮予約から本予約への変更方法を具体的に説明する。
【００３６】
治療予約部１０４が、治療の予約の入力を受けて自己の有する時計を参照し、治療日から一週間以上前と判断した場合。治療予約部１０４は、操作者からの予約の入力に基づき治療計画記憶部１０１からアクセサリ００４の種類を取得する。治療予約部１０４は、取得したアクセサリ００４の種類を基に、そのアクセサリ００４を使用する放射線治療に割当てられた予約枠のうち早い時間から治療の仮予約を入れ時間を確保していく。以下では、放射線治療の時間を１５分として説明していく。ただし、実際には、治療予約部１０４は、入力された治療に対する治療日の放射線治療の時間として治療計画記憶部１０１から取得した治療計画に基づく時間を割当てることになる。例えば、１番最初に仮予約を入れる場合であって、治療計画で使用するアクセサリ００４が「ＡＡＣ−１」だった場合、治療予約部１０４は「ＡＣＣ−１」を使用する放射線治療の予約枠８：００〜９：００のうち、一番早い時間である９：００〜９:１５に仮予約を入れる。そして、治療予約部１０４は、治療日と設定した予約の時間を記憶しておく。
【００３７】
さらに、次に入力された治療計画で使用するアクセサリ００４も同様に「ＡＡＣ−１」の場合、治療予約部１０４は「ＡＣＣ−１」を使用する放射線治療の予約枠の９:１５〜９：３０に仮予約を入れる。このように、治療予約部１０４は、入力された治療計画において使用するアクセサリ００４の放射線治療に割当てられた予約枠に順次予約を入れていく。そして、治療予約部１０４は、治療日と設定した予約の時間を記憶しておく。
【００３８】
ここで、治療予約部１０４は、予約表作成部１０５から入力された予約表に、自己が記憶している予約の時間を割当てていくことで、予約枠の全部又は一部が予約に使用されずに残っているか残っているか否かの判断を行うことができる。
【００３９】
また、ある種類のアクセサリ００４（ここでは、「ＡＡＣ−１」で説明する。）を使用する放射線治療の予約枠に時間の残りがなくなった場合、さらに、「ＡＡＣ−１」を使用する放射線治療の予約を受けると、治療予約部１０４は予備の時間から１５分減算し、「ＡＡＣ−１」を使用する放射線治療の予約枠に１５分を加算する。そして、治療予約部１０４は、その加えた１５分に現在入力された治療の仮予約を入れる。さらに、治療予約部１０４は、それ以降の予約枠に割当てられている時刻を１５分ずつ後にずらす。具体的には治療予約部１０４は、「ＡＣＣ−２」を使用する放射線治療の予約枠を９：１５〜１１：１５へ、「ＡＣＣ−３」を使用する放射線治療の予約枠を１１：１５〜１４：１５へ、「ＡＣＣ−４」を使用する放射線治療の予約枠を１４：１５〜１７：１５へと変更する。この場合、それらの予約枠に既に設定されている予約がある場合にはその予約も１５分ずつ後にずらされる。そして、治療予約部１０４は、治療日と設定した予約の時間及び減らした予備の時間を記憶しておく。また、予備の時間が残っていない場合には、治療予約部１０４は、入力された治療の予約ができない旨の通知を表示部１１２に表示させる。このように、治療予約部１０４は、既に設定した予約枠及び予約に対しそれらの時刻を後にずらすなどの変更を受け付けることで予約の時間の変更を可能とする。
【００４０】
さらに、治療予約部１０４は、予約表に治療の仮予約を入れたときに、治療計画記憶部１０１を検索し、該治療を行う患者のメールなどの通知情報を取得する。治療計画記憶部１０１は、患者のメールなどの通知情報、及び予約日時の情報を予約通知部１０８へ出力する。
【００４１】
治療予約部１０４は毎日の業務終了後（例えば、午後２０時など指定された時間でよい。）に自己の有する時計を確認する。そして、治療予約部１０４が治療日から１週前の期日になったと判断した場合。治療予約部１０４は、予約表作成部１０５から予約表を取得し該予約表を記憶する。治療予約部１０４は、記憶した予約表に既に入力されている予約を書込み、予約表に確保されている予約時間を確定して本予約に変更する。そして、治療予約部１０４は、各治療の本予約の時間を記憶する。また、仮予約を本予約に変更するとともに、治療予約部１０４は、治療計画記憶部１０１を検索し１週間後の治療日に予約されている治療を行うそれぞれの患者のメールなどの通知情報を取得する。さらに、治療予約部１０４は、取得した患者のメール通知情報及び、各患者の治療の予約日時の情報を予約通知部１０８へ出力する。
【００４２】
治療予約部１０４が、治療の予約の入力を受けて自己の時計を参照し、治療日まで１週間以内の期日と判断した場合。治療予約部１０４は、操作者からの予約の入力に基づき治療計画記憶部１０１からアクセサリ００４の種類の情報を取得する。治療予約部１０４は、取得したアクセサリ００４の種類を基に、指定された治療日にそのアクセサリ００４を使用する放射線治療に割当てられた予約枠に時間が残っているか否かを判断する。予約枠に時間が残っている場合には、治療予約部１０４は入力された治療の本予約を入れ時間を確保していく。ここで、予約枠の時間が余っていない場合で、かつ予備の時間が残っている場合には、治療予約部１０４は既に予約されている放射線治療の一番後に、入力された治療の予約を入れる。また、予備の時間も残っていない場合には、統括制御部１０７は、入力された予約不可の通知を表示部１１２に表示させる。この様に、治療日から１週間前の期日以降はすでに入っている予約の時間を入れ替えないことで、予約の日時を確定することができる。また、放射線治療は通常の検査とは異なり、長期の計画で行われる。そのため、治療日の一週間前以降に治療の予約が入ることは少ない。したがって、治療日から１週間前の時点で予約を確定してしまい、それ以降に入る予約の時間を最後に確保することにしても、アクセサリ００４の付け替えが頻繁になる可能性は少ない。このように、治療予約部１０４は、治療日から１週間以内になった場合、既に設定されている予約枠及び予約に対する時刻の変更を受け付けないことで予約の時間の変更を不可能にする。
【００４３】
さらに、治療予約部１０４は、予約表に治療の本予約を入れたときに、治療計画記憶部１０１を検索し、該治療を行う患者のメールなどの通知情報を取得する。治療計画記憶部１０１は、患者のメールなどの通知情報、及び予約日時の情報を予約通知部１０８へ出力する。この治療予約部１０４が本発明における「治療予約手段」にあたる。
【００４４】
ここで、本実施形態では治療日までの日数を治療予約部１０４の時計を参照することで計算していたが、治療日まで１週間以内の場合には治療予約部１０４に予約表が記憶されているので、入力された治療日の予約表を記憶しているか否かによって、１週間以内か否かの判断を行うことも可能である。
【００４５】
また、本実施形態では、なるべく同一のアクセサリ００４を使用する放射線治療をまとめるとともに、仮予約の時間と本予約の時間をなるべく一致させるために、本予約に変更したときに予約枠の埋まっていない時間はそのままにして、後に予約が入った場合に予約枠の残りの時間に本予約として予約を入れるとしている。しかし、本予約の確定方法は他の方法でも良く、例えば本予約に変更するときに予約枠の残っている時間を詰めてしまい、全ての予約の後に余った時間をまとめた予約表を作成してもよい。
【００４６】
予約通知部１０８は、治療予約部１０４から仮予約の情報の入力を受ける。仮予約の情報には、患者のメールなどの通知情報及び予約日時が含まれている。予約通知部１０８は、取得したメールアドレスに仮予約の予約日時の通知を行う。また、患者の通知先として電話番号やＦＡＸ番号などメールアドレスの情報以外の情報がある場合、予約通知部１０８は表示部１１２に該患者の電話番号やＦＡＸ番号などを通知の要請とともに表示させる。操作者は、その通知の要請を確認し、その電話番号やＦＡＸ番号に対して仮予約の通知を行う。
【００４７】
さらに、予約通知部１０８は、治療予約部１０４から治療日の１週間前の期日に本予約の情報の入力を受ける。本予約の情報には、該治療日に予約が入っている全ての患者のメールアドレスなどの通知情報、及びそれらの患者それぞれの治療時間が含まれている。予約通知部１０８は、取得したそれぞれの患者のメールアドリスに本予約の予約日時の通知を行う。また、また、患者の通知先として電話番号やＦＡＸ番号などメールアドレスの情報以外の情報がある場合、予約通知部１０８は表示部１１２に該患者の電話番号やＦＡＸ番号などを通知の要請とともに表示させる。操作者は、その通知の要請を確認し、その電話番号やＦＡＸ番号に対して本予約の通知を行う。
【００４８】
このように、本実施形態では仮予約と本予約で患者に対し２度の通知を行う。これは、患者になるべく早いうちに治療の日時を通知して患者の予定を押さえてもらうために仮予約の段階での通知を必要となる。その後、仮予約から本予約までの間に時間の変更が行われることがある。そこで、実際に確定した治療の日時を患者に通知するため本予約の段階での通知が必要となる。患者としては、仮予約と本予約が異ならないことが望ましい状態である。そのため、本実施形態では過去の治療結果のデータを増やすことで、各アクセサリ００４の使用頻度の精度を上げていき、仮予約の段階でほぼ正確な予約が入れられるようにしている。これにより、仮予約と本予約とにおける予約の時間帯がほぼ一致するようになり、患者の予定を調整する負担も軽減できる。
【００４９】
統括制御部１０７は、各機能部の動作やそのタイミングなどを規定する。また、各機能部間の情報の受け渡しは、統括制御部１０７を介して行われることもある。
【００５０】
次に、図５を参照して治療結果の記憶の流れを説明する。図５は本実施形態に係る放射線治療予約装置１００における治療結果の記憶の流れを表すフローチャートの図である。
【００５１】
ステップＳ００１：治療計画装置００２は、モダリティ００１で生成された患部の医用画像の入力を受ける。
【００５２】
ステップＳ００２：治療計画装置００２は、入力された医用画像や検査情報を基に、患部の場所、腫瘍や癌などの患部の大きさ、及び患部の深さといった治療情報を求める。そして、治療計画装置００２は、求めた治療情報を基に、治療を通して必要な放射線の線量、並びに、１回の治療で放射線を照射する深さ、放射線を照射する強さ、放射線を照射する範囲、及び使用するアクセサリ００４の種類などの情報を含む治療計画を作成する。
【００５３】
ステップＳ００３：治療計画記憶部１０１は、治療計画装置００２から入力された治療計画を記憶する。
【００５４】
ステップＳ００４：放射線治療装置００３は、治療計画記憶部１０１に治療計画の出力を要求し、治療計画を取得する。操作者は、治療計画装置００２が取得した治療計画を使用して、アクセサリ００４を取り付け、治療計画に沿った放射線治療を行う。
【００５５】
ステップＳ００５：治療結果記憶部１０２は、放射線治療装置００３から入力された、治療結果を記憶する。治療結果には、患者の識別情報、治療装置の種類、治療部位、治療方法、及び使用したアクセサリ００４の種類などが含まれている。
【００５６】
以上のように、本実施形態に係る放射線治療予約装置１００では、患者に対し放射線治療が行われると、その行った治療の情報が治療結果記憶部１０２に記憶される。このように、常に行った治療の治療結果を記憶していくことで、治療結果の情報が蓄積されアクセサリ００４の使用頻度などを求めるための母集団が大きくなる。これにより、記憶している治療結果から求められる情報の精度を向上することができる。
【００５７】
次に、図６を参照して、本実施形態に係る放射線治療予約装置１００における治療の予約の動作を説明する。ここで、図６は本実施形態に係る放射線治療予約装置１００における治療の予約の動作の流れを表すフローチャートの図である。
【００５８】
ステップＳ１０１：操作者はユーザインタフェース１１０を使用して、治療日、使用する放射線治療装置００３の種類、及び治療計画の識別情報を入力して、放射線治療の予約の要求を入力する。
【００５９】
ステップＳ１０２：治療予約部１０４は、指定された治療日に既に他の放射線治療の予約が設定されているか否かを検索する。他の放射線治療の予約が設定されていない場合、ステップＳ１０３に進む。他の放射線治療の予約が設定されている場合、ステップＳ１０７に進む。
【００６０】
ステップＳ１０３： 治療予約部１０４は、自己の有する時計を参照し、今の日にちが指定された治療日より１月以上前か否かを判断する。１月以上前の場合にはステップＳ１０４に進む。１月以内の場合にはステップＳ１０７に進む。
【００６１】
ステップＳ１０４：使用頻度算出部１０３は、治療結果記憶部１０２に記憶されている過去の治療結果を検索し、使用されたアクセサリ００４の種類を抽出する。そして、使用頻度算出部１０３は、過去の治療結果のうち各アクセサリ００４が使用された頻度を求める。
【００６２】
ステップＳ１０５：使用時間算出部１０６は、使用頻度算出部１０３によって算出された治療頻度を基に、１日のうち各アクセサリ００４を使用した放射線治療それぞれに割当てる時間を算出する。
【００６３】
ステップＳ１０６：予約表作成部１０５は、使用時間算出部１０６が算出した各アクセサリ００４を使用した放射線治療に割当てられる時間を基に、割当てられた時間が短い順に１日のうちの早い時刻に並べていき各アクセサリ００４を使用した放射線治療それぞれの予約枠を決定し、予約表を作成する。
【００６４】
ステップＳ１０７：治療予約部１０４は、自己が有する時計を参照し、現在が治療日から一週間以上前か否かを判断する。一週間以上前の場合、ステップＳ１０８に進み、一週間以内の場合、ステップＳ１１４に進む。
【００６５】
ステップＳ１０８：治療予約部１０４は、予約表作成部１０５が作成した予約表の予約枠にすでに受け付けている予約を設定し、指定されたアクセサリ００４を使用する放射線治療の予約枠が残っているか否かを判断する。予約枠が残っている場合にはステップＳ１１１に進み、予約枠が残っていない場合にはステップＳ１０９に進む。
【００６６】
ステップＳ１０９：治療予約部１０４は、治療予約部１０４が作成した予約表に既に受け付けている予約を設定し、予備の時間が残っているか否かを判断する。予備の時間が残っている場合にはステップＳ１１２に進み、予備の時間が残っていない場合にはステップＳ１１０に進む。
【００６７】
ステップＳ１１０：治療予約部１０４は、ユーザインタフェース１１０の表示部１１２に治療の予約ができない旨の表示を表示させる。
【００６８】
ステップＳ１１１：治療予約部１０４は、予約表作成部１０５が作成した予約表における指定されたアクセサリ００４を使用する放射線治療の予約枠の中で、かつ既に入っている他の予約の後ろに、入力された放射線治療の予約を入れる。治療予約部１０４は設定した予約の時間を記憶する。
【００６９】
ステップＳ１１２：治療予約部１０４は、予備の時間から１５分を削り、指定されたアクセサリ００４を使用する放射線治療の予約枠の後に１５分を加え、加えた１５分に入力された放射線治療の予約を入れる。治療予約部１０４は設定した予約の時間を記憶する。
【００７０】
ステップＳ１１３：治療予約部１０４は、仮予約の日時と治療計画記憶部１０１から取得した患者のメールなどの通知情報を予約通知部１０８に出力する。予約通知部１０８は入力された仮予約の日時を患者のメールアドレスに送るなどして通知する。
【００７１】
ステップＳ１１４：治療予約部１０４は、自己が記憶している予約表において、指定されたアクセサリ００４を使用する放射線治療の予約枠が残っているか否かを判断する。予約枠が残っている場合には、ステップＳ１１６に進む。予約枠が残っていない場合には、ステップＳ１１５に進む。
【００７２】
ステップＳ１１５：治療予約部１０４は、自己が記憶している予約表における予備の時間が残っているか否かを判断する。予備の時間が残っている場合、ステップＳ１１７に進む。予備の時間が残っていない場合、ステップＳ１１０に進む。
【００７３】
ステップＳ１１６：治療予約部１０４は、自己が記憶している予約表における指定されたアクセサリ００４を使用する放射線治療の予約枠を参照する。治療予約部１０４は、参照した予約枠の既に設定されている他の予約の後ろに、入力された放射線治療の予約を入れる。
【００７４】
ステップＳ１１７：治療予約部１０４は、予約表に記載されている他の放射線治療の予約の一番後ろに入力された放射線治療の予約を入れる。
【００７５】
ステップＳ１１８：治療予約部１０４は、本予約の日時と治療計画記憶部１０１から取得した患者のメールなどの通知情報を予約通知部１０８に出力する。予約通知部１０８は入力された本予約の日時を患者のメールアドレスに送るなどして通知する。
【００７６】
次に、図７を参照して、本実施形態に係る放射線治療予約装置１００における治療の予約の仮予約から本予約への変更の流れを説明する。ここで、図７は本実施形態に係る放射線治療予約装置１００における治療の予約の仮予約から本予約への変更の流れを表すフローチャートの図である。
【００７７】
ステップＳ２０１：治療予約部１０４は、１日の業務終了後（例えば、午後２０時など指定された時間でよい。）に自己が有する時計を確認する。
【００７８】
ステップＳ２０２：治療予約部１０４は、自己が記憶している予約表のうち一週間後の治療日の予約表を予約表作成部１０５から取得する。
【００７９】
ステップＳ２０３：治療予約部１０４は、取得した予約表にすでに受け付けている治療の予約を設定し、予約表の仮予約を本予約とする。そして、予約表とともに各放射線治療の本予約の時間を記憶する。さらに、治療予約部１０４は、本予約の日時及び治療計画記憶部１０１から取得したそれぞれの治療を受ける患者のメールアドレスなどの通知情報を予約通知部１０８へ出力する。
【００８０】
ステップＳ２０４：予約通知部１０８は、本予約の日時を患者のメールアドレスなどに送り通知する。
【００８１】
ここで、本実施形態では患者への通知を確実に行うため予約通知部１０８を設けているが、この予約通知部１０８は無くても放射線治療予約装置１００は動作可能である。その場合、操作者自らが予約表を確認し患者に通知するなどを行うことが望ましい。
【００８２】
また、本実施形態では治療計画の入力を正確かつ容易にするため、治療計画装置００２から治療計画を受けているが、治療計画装置００２を使用せずに直接操作者から治療計画の入力を受けるだけの構成でもよい。
【００８３】
以上のように、本実施形態に係る放射線治療予約装置では、１日の予約表のうち使用するアクセサリの種類が同じ放射線治療毎にまとめて予約枠を予め確保し、実際に予約が入ったときにその予約枠を埋めるように予約を行っていく。これにより、同じ種類のアクセサリを使用する放射線治療をまとめて行うことができ、アクセサリの取替えの回数を減少させることが可能となる。そのため、操作者におけるアクセサリの取替えの負荷を軽減することができる。また、アクセサリの取替えの時間を削減することができるため、１日のうちに行える放射線治療の回数を増やすことも可能となる。
【００８４】
また、本実施形態に係る放射線治療予約装置では、過去の治療結果を基にアクセサリの使用頻度を算出して、各アクセサリを使用する放射線治療の予約枠を決定しているため、設定した予約枠と実際に各アクセサリを使用する放射線治療の予約に必要な時間とがほぼ一致させることができる。さらに、過去の治療結果が増えるに従いより予約枠と実際の予約とを一致させる精度を向上させることが可能である。これにより、仮予約の段階で患者に通知した治療日時と本予約の段階で患者に通知する治療日時をほぼ一致させることができ、早い時期に患者に正確な治療日時を通知することが可能となる。そのため、放射線治療のために予定を押さえる患者の負担を軽減することが可能となる。
【００８５】
〔第２の実施形態〕
以下、この発明の第２の実施形態に係る放射線治療予約装置について説明する。本実施形態における放射線治療予約装置は、複数の放射線治療装置と接続されていることが第１の実施形態と異なるものである。そこで、複数の放射線治療装置に対する予約方法を主に説明する。本実施形態に係る放射線治療予約装置も図１のブロック図と同様の構成である。
【００８６】
放射線治療装置００３の種類によって装着可能なアクセサリ００４が異なったり、出せる線量が異なったりする。このため、それぞれの放射線治療装置００３によってアクセサリ００４の使用頻度が異なる場合がある。また、性能的には同じ放射線治療装置００３でも使用環境によって、出せる線量を決めてしまいそれぞれの放射線治療装置００３で行う治療を異ならせている病院もある。そのような場合も、それぞれの放射線治療装置００３によってアクセサリ００４の使用頻度が異なることがある。そこで、本実施形態では、各アクセサリ００４を使用する放射線治療の予約枠を性格にするために、放射線治療装置００３毎に予約表を作成し予約を行っていく。
【００８７】
治療結果記憶部１０２は、放射線治療装置００３から治療結果の入力をうけて、放射線治療装置００３毎に治療結果を記憶する。
【００８８】
使用頻度算出部１０３は、治療結果記憶部１０２に記憶されている各放射線治療装置００３の治療結果を基に、放射線治療装置００３毎に各アクセサリ００４を使用した放射線治療の頻度を算出する。
【００８９】
使用時間算出部１０６は、使用頻度算出部１０３で算出された放射線治療装置００３毎の各アクセサリ００４の使用頻度を基に、放射線治療装置００３毎に各アクセサリ００４を使用する放射線治療の１日のうちに割当てる時間を算出する。
【００９０】
予約表作成部１０５は、放射線治療装置００３毎の予約表に各アクセサリ００４を使用する放射線治療の治療枠を順次設定していき予約表を作成する。
【００９１】
治療予約部１０４は、操作者からの放射線治療装置００３の種類及び治療の日時を受けて、指定された放射線治療装置００３の予約表に治療の予約を入れる。
【００９２】
以上のように、本実施形態における放射線治療予約装置では、放射線治療装置毎に予約表を作成し、その予約表に予約を入れていくことができる。これにより、放射線治療装置毎のアクセサリの使用頻度を精度良く求めることができ、複数の放射線治療装置がある場合にも、患者に対し早い時期に精度のよい予約を通知することが可能となる。
【００９３】
ただし、本実施形態では複数の放射線治療装置それぞれが異なる使い方をされている場合で説明した。これに対し、複数の放射線治療装置を同じ使い方をされる場合も考えられる。その場合には、同じ使い方をされる放射線治療装置の過去の治療結果をまとめてアクセサリの使用頻度を算出し、放射線治療装置毎に使用するアクセサリをまとめて予約枠を作成することでより効率的なアクセサリの使用が可能となる。
【００９４】
〔第３の実施形態〕
以下、この発明の第３の実施形態に係る放射線治療予約装置について説明する。本時氏形態における放射線治療予約装置は、直接操作者から治療結果の入力を受ける構成である。図８は本実施形態に係る放射線治療予約装置の機能を表すブロック図である。本実施形態に係る放射線治療予約装置は図８に示すように、第１及び第２の実施形態に係る放射線治療予約装置から治療計画記憶部１０１を省いた構成である。また、本実施形態に係る放射線治療予約装置は、第１及び第２の実施形態と異なり治療計画装置及び放射線治療予約装置と接続されている必要はない。以下では、治療結果の入力及び治療計画を記憶していない場合の治療の予約方法について主に説明する。
【００９５】
操作者は、ユーザインタフェース１１０の入力部１１１を用いて、患者ＩＤ、治療装置の種類、治療部位、治療方法、アクセサリの種類を含む治療結果を入力する。
【００９６】
治療結果記憶部１０２は、入力された治療結果を記憶する。
【００９７】
治療予約部１０４は、操作者から治療の予約の入力を受けるとともに、操作者から直接もしくは外部の治療計画装置から治療計画の入力を受け、その治療計画に含まれるアクセサリの情報を抽出する。治療予約部１０４は抽出したアクセサリの情報を基に、予約表の中の該アクセサリを使用する放射線治療の予約枠に予約を入れていく。
【００９８】
さらに、治療予約部１０４は、仮予約及び本予約の通知を行う場合には、操作者から直接もしくは外部の治療計画装置から入力された治療計画に含まれる患者の通知情報を治療日時とともに予約通知部１０８に入力する。
【００９９】
以上のように、本実施形態に係る放射線治療予約装置では、他の装置と独立して予約表を作成することができる。これにより、構成を簡素化することができ、装置を小さくすることができるとともに、安価で製造することが可能となる。
【図面の簡単な説明】
【０１００】
【図１】第１及び第２の実施形態に係る放射線治療予約装置のブロック図
【図２】治療結果記憶部に記憶されている治療結果のデータを説明するための図
【図３】使用頻度算出部が求めたアクセサリ毎の使用回数とその使用された頻度をまとめた表の図
【図４】予約表作成部によって作成される予約表の一例の図
【図５】第１の施形態に係る放射線治療予約装置における治療結果の記憶の流れを表すフローチャートの図
【図６】第１の実施形態に係る放射線治療予約装置における治療の予約の動作の流れを表すフローチャートの図
【図７】第１の実施形態に係る放射線治療予約装置における治療の予約の仮予約から本予約への変更の流れを表すフローチャートの図
【図８】第３の実施形態に係る放射線治療予約装置のブロック図
【符号の説明】
【０１０１】
００１  モダリティ
００２  治療計画装置
００３  放射線治療装置
１００  放射線治療予約装置
１０１  治療計画記憶部
１０２  治療結果記憶部
１０３  使用頻度算出部
１０４  治療予約部
１０５  予約表作成部
１０６  使用時間算出部
１０７  統括制御部
１０８  予約通知部
１１０  ユーザインタフェース
１１１  入力部
１１２  表示部
【図１】
0005283919.tif 000002
【図２】
0005283919.tif 000003
【図３】
0005283919.tif 000004
【図４】
0005283919.tif 000005
【図５】
0005283919.tif 000006
【図６】
0005283919.tif 000007
【図７】
0005283919.tif 000008
【図８】
0005283919.tif 000009